(57)【特許請求の範囲】
【請求項１】
熱交換器による冷媒との熱交換によって過冷却水を生成し、当該過冷却水の過冷却状態を、密閉配管系統で解除してシャーベット状の氷を製造する氷製造装置において、
前記過冷却水が流れる区間にある機械的接合部内に、水分を含有せず揮発しない液体または前記冷媒の温度よりも凝固点が低い不凍液を充填することで、
配管表面の相変化が配管内部に伝播することを防止することを特徴とする、製氷安定方法。
【請求項２】
熱交換器による冷媒との熱交換によって過冷却水を生成し、当該過冷却水の過冷却状態を、密閉配管系統で解除してシャーベット状の氷を製造する氷製造装置において、
前記過冷却水が流れる区間にある機械的接合部内に、水分を含有せず揮発しない液体または前記冷媒の温度よりも凝固点が低い不凍液を充填したことを特徴とする、氷製造装置。
【発明の詳細な説明】
【技術分野】
【０００１】
本発明は、水の過冷却状態を利用してシャーベット状の氷を製造する方法及び氷製造装置に関するものである。
【背景技術】
【０００２】
従来から、水を０℃以下の過冷却状態にした過冷却水を生成し、当該過冷却水に振動、衝撃を付与して過冷却状態を解除することで相変化させ、シャーベット状の氷を製造することが行なわれてきている（特許文献１）。
【０００３】
前記過冷却水を生成する場合、過冷却水を製造する熱交換器（過冷却器）としては、通常、冷凍ブラインと熱交換する熱交換器が使用されており、この種の熱交換器としては、シェルアンドチューブ式熱交換器、ガスケットタイプのプレート式熱交換器等が挙げられるが、スペース、効率の点から、プレート式熱交換器が用いられることがある。ガスケットタイプのプレート式熱交換器では、二流体（水とブライン）間の混合と外部への漏洩を防止するために、プレートの外周部と二流体間の仕切りにガスケットが使用されており、両端に位置するエンドプレートを締め付けることによってガスケットを潰し、所定のシール能を得ている。
【先行技術文献】
【特許文献】
【０００４】
【特許文献１】特開２００９−２０４１６２号公報
【発明の概要】
【発明が解決しようとする課題】
【０００５】
しかしながら、発明者らが調べた結果、ガスケットタイプのプレート式熱交換器を用いた場合、プレート式熱交換器の外表面の仕上げ方法によってはプレート式熱交換器で凍結が頻発し、製氷運転が不安定になることがあることがわかった。従来、過冷却現象を利用した密閉型の製氷機で起こる凍結の原因は、全て配管や機器内部に存在すると考えられていたが、発明者らの研究によれば、配管の外表面からの影響で凍結が発生することが知見できた。
【０００６】
すなわち、プレート式熱交換器は一般の熱交換器と同様に、水漏れがなければ外部と内部とは全く遮断されていると考えられ、そのため外表面の相変化が内部に侵入することはなく、格別それを防止するための特別な対策は講じられていないのが実情である。
【０００７】
ところが、配管や過冷却器の外表面が濡れていたり結露したりすると、外表面は霜あるいは氷で覆われ、このとき、外表面が氷で覆われた区間で凍結が発生する。発明者らが調べたところ、プレート式熱交換器（過冷却器）の凍結を引き起こす原因の１つに、機器や配管の外部の相変化、例えば水から氷への変化が内部に伝播するという現象があることが分かった。
【０００８】
これは、機器や配管の内部が過冷却状態になる部位では、特に加熱等をしない限り外表面温度は０℃以下になるため、配管外表面が濡れていたり結露したりすると、外表面は霜あるいは氷で覆われることになる。このとき、外表面が氷で覆われた区間に機械的接合部があると、接合面に存在する水分が配管内部の過冷却水によって過冷却状態となり、さらに外表面で氷に接触することになるので、接合面に存在する過冷却水は過冷却状態が解除されるためである。このようにして配管外表面の相変化が内部に伝播し、内部に凍結が発生する。なお、接合面を介して相変化が伝播するかどうかは、水漏れの有無では判別できない。
【０００９】
本発明の目的は、このような配管外表面の相変化によって、配管や機器内部に凍結が発生するのを防止して、製氷の安定性を向上させることにある。
【課題を解決するための手段】
【００１０】
前記目的を達成するため、本発明の製氷安定方法は、熱交換器による冷媒との熱交換によって過冷却水を生成し、当該過冷却水の過冷却状態を、密閉配管系統で解除してシャーベット状の氷を製造する氷製造装置において、前記過冷却水が流れる区間にある機械的接合部内に、水分を含有せず揮発しない液体または前記冷媒の温度よりも凝固点が低い不凍液を充填することで、配管表面の相変化が配管内部に伝播することを防止することを特徴としている。
【００１１】
また本発明にかかる氷製造装置は、熱交換器による冷媒との熱交換によって過冷却水を生成し、当該過冷却水の過冷却状態を、密閉配管系統で解除してシャーベット状の氷を製造する氷製造装置において、前記過冷却水が流れる区間にある機械的接合部内に、水分を含有せず揮発しない液体または前記冷媒の温度よりも凝固点が低い不凍液を充填したことを特徴としている。
【００１２】
既述したように、配管外表面の相変化が内部に伝播して内部が凍結する原因は、接合面に存在する水分が配管内部の過冷却水によって過冷却状態となり、それが外表面で氷に接触することで、接合面に存在する過冷却状態となった水分の過冷却状態が解除されることであるから、本発明のように、機械的接合部内に、予め水分を含有せず揮発しない液体、または前記冷媒の温度よりも凝固点が低い不凍液を充填しておくことで、配管表面の相変化が配管内部に伝播することを防止することが可能である。
【００１３】
すなわち、機械的接合部内に、予め水分を含有せず揮発しない液体、または前記冷媒の温度よりも凝固点が低い不凍液を充填しておくと、相変化が内部に伝播しようとしても、元々当該機械的接合部に含まれる水分はなく、これら水分を含有せず揮発しない液体または冷媒の温度よりも凝固点が低い不凍液が充填されているから、接合面に存在する水分の過冷却状態が解除されるといった事態が生ぜず、したがって、当該伝播は防止され、機械的接合部から配管内や機器内部に凍結が頻発することを防止できる。なお機械的接合部内に、水分を含有せず揮発しない液体、または前記冷媒の温度よりも凝固点が低い不凍液を充填しておくには、接合部分表面にこれらの液体を塗布して、その後接合する事で実現できる。なお発明の目的からして、機械的接合部内には水分がないことが好ましいので、前記液体を塗布する前には、予め接合部表面を乾燥させ、その後にこれら液体を塗布して、接合する事がよい。
【００１４】
密閉配管系統で解除するとは、たとえば衝突板に過冷却水を衝突させて過冷却水を解除する、いわゆる開放型の解除方式と対置される、大気に開放していない空間内で解除することをいう。また過冷却水が流れる区間にある機械的接合部とは、溶接、接着剤を使用することなく、機械的要素などで配管同士や、フランジ、プレート、ガスケットが接合されている部分をいう。
【発明の効果】
【００１５】
本発明によれば、配管外表面の相変化があっても、配管や機器内部に凍結が発生するのを防止して、製氷の安定性を向上させることができる。
【図面の簡単な説明】
【００１６】
【図１】実施の形態にかかる製氷安定方法が実施される氷蓄熱システムの概要を模式的に示した説明図である。
【図２】図１の氷蓄熱システムに使用した過冷却器の構成を模式的に示した説明図であり、左側の図は正面、右側の図は右側面を各々示している。
【図３】接続フランジ部のフランジとガスケットの間に、水分を含まず揮発しない液体を浸潤した例を模式的に示した説明図である。
【図４】凍結の有無を調べた実験の結果を示すグラフである。
【発明を実施するための形態】
【００１７】
以下、本発明の好ましい実施の形態について説明する。図１は、実施の形態にかかる製氷安定方法が実施される氷蓄熱システムの全体の概要を示しており、氷蓄熱槽１から取水した水は、取水配管２を通じ、予熱装置３によって氷核を完全に無くされた後に、ポンプ４によって、過冷却器入口側接続部５を経由して、プレート式熱交換器で構成された過冷却器６に送られる。過冷却器６に送られた水は、冷凍機７からポンプ８によって送られた低温のブラインと熱交換されることで、氷蓄熱槽１から取水された前記水は、０℃以下の過冷却水となる。
【００１８】
過冷却器６によって生成された過冷却水は、過冷却器出口側接続部９から、配管１０を通じて伝播防止装置１１を経て、例えば密閉系の過冷却解除装置１２によってスラリー状の氷水に変換され、再び氷蓄熱槽１に戻される。シャーベット状の氷は、氷蓄熱槽１内で水の比重差から分離、浮上し、氷蓄熱槽１内に蓄えられる。このようなサイクルを繰り返すことで、氷蓄熱槽１内の水が氷に変換されて、冷熱が蓄熱される。なおブライン流路１３に、配管１４を介して設けられているタンクは、ブライン膨張タンク１５である。
【００１９】
過冷却器６は、図２に示すようなプレート式熱交換器が用いられている。この過冷却器６は、多数のプレート２１を、ガスケット２２を挟んで両端のエンドプレート２３、２４間に積層した構造を有し、プレート２１、ガスケット２２を貫通したシャフト２５の端部をエンドプレート２４の外側からナット２６で締め付けることによって一体化されている。そして各プレート２１の上端近傍を貫通する水流路２７からの水と、各プレート２１の下端近傍を貫通するブライン流路２８からのブラインは、各プレート２１とガスケット２２とによって形成された空間内に交互に流れており、プレート２１を介して両者が熱交換されるようになっている。なお図示の都合上、各プレート２１とガスケット２２との間の空隙は、誇張して描図している。
【００２０】
次に、外部表面の相変化によって内部凍結が発生しやすい部位の一つである、過冷却器出口側接続部９と伝播防止装置１１との間の配管１０における接続フランジ部１６についての、本発明の適用例について説明する。
【００２１】
図３は、接続フランジ部１６の断面を拡大して模式的に示しており、配管１０を構成する管１０ａ、１０ｂの接続端部には、各々に対応してフランジ１０ｃ、１０ｄが形成されている。これらフランジ１０ｃ、１０ｄは、リング状のガスケット３１を挟んで、固定部材、たとえばボルト、ナット等（図示せず）によって接続固定（機械的接合）されている。機械的接合は、そのようなボルト、ナットによる固定に限られない。すなわち本発明でいう機械的接合は、何らかの機械的手段で接合されたものをいい、接着剤で接合したり、溶接したりする固定方法を除くという意味である。なおガスケット３１とフランジ１０ｃ、１０ｄとの間は、実際には密着しているが、構造をわかりやすく説明する都合上、空隙を描図している。
【００２２】
そして図３の例では、機械的接合部となるフランジ１０ｃ、１０ｄとガスケット３１間に、予め水分を含まず揮発しない液体３６を浸潤したものである。水分を含まない液体３６としては、たとえば油やシリコンシーラントなどを例示できる。
【００２３】
かかる構成によれば、機械的接合部内の水分は、水分を含まず揮発しない液体３６によって、霜３４と接触することはなく、したがって配管１０外部の相変化が配管１０内部に伝播することを防止することができる。この場合、水分を含まず揮発しない液体３６に代えて、過冷却器６に流入するブラインの温度よりも凝固点が低い不凍液を用いてもよい。
【００２４】
なお参考までに、図１に示した氷蓄熱システムにおいて使用した配管系のうち、接続フランジ部１６において、凍結の発生有無を調べた実験について説明する。
【００２５】
本実験は、図４に示したように、まず２時間以上の連続運転を行い、安定運転を確認（装置の健全性を確認）した後、過冷却器〜伝播防止器の接続フランジ部１６外周部に氷を接触させたまま保持し、凍結の有無を確認する。ついで接続フランジ部１６外周部の水分を拭き取り、フランジ外表面を乾燥剤と共に気密にした状態で凍結の有無を確認した。
【００２６】
図のグラフ中、水入口温度は、過冷却器６に導入される水の温度、過冷却水温度は、過冷却器６を出て配管１０内を流れる過冷却水の温度、Ｂｒ入口温度は、過冷却器６に導入される冷凍ブラインの温度、Ｂｒ入口温度は、熱交換後に過冷却器６を出る冷凍ブラインの温度を意味し、各々グラフの左側の目盛で温度を表示している。またＢｒ流量は、過冷却器６を流れる冷凍ブラインの流量、水流量は、過冷却器６に導入される水の流量である。
【００２７】
この結果によれば、図４のグラフに示したように、接続フランジ部１６外周部に氷を接触させたまま運転を続けると、接続フランジ部１６外周部に氷を接触させた直後から連続凍結（数十分間隔の周期的凍結）が起こった。しかしながら、接続フランジ部１６外周部の水分を拭取り、フランジ外表面を乾燥剤と共に気密すると連続凍結が止まり、正常な製氷状態に復帰した。なおこのとき、気密にした接続フランジ部１６外表面以外の配管１０の表面では着霜が起こっていた。
【００２８】
以上の結果から、過冷却水が流れる配管に機械的接続部があると、その種類（フランジ接続、ねじ込み、プレート圧着部）に関係なく、配管外部に氷を接触させることで凍結を再現できることを確認するとともに、機械的接続部が無い直管部で氷を接触させてもこのような凍結は起こらないことを確認した。以上のことから、本実験での凍結原因は、配管外表面に与える熱的なショックが熱伝導によって配管内部に伝わることではなく、機械的接合面に沿って相変化が内部に伝播することが凍結原因であると結論付けることができる。
【００２９】
そして前記実験では、フランジ外表面を乾燥剤と共に気密に封止したものであったが、本発明のように、機械的接合部内に、水分を含有せず揮発しない液体または前記冷媒の温度よりも凝固点が低い不凍液を充填しても、そのような配管表面の相変化が配管内部に伝播することを防止することができることを十分に推認できる。
【００３０】
なお以上は、接続フランジ部１６の外表面に本発明を実施した例について説明したが、過冷却器６として用いた、プレート式熱交換器におけるプレートとガスケットの接合部分、すなわち機械的接合部分の外表面についても適用できるものである。また配管系についても、もちろんシェルアンドチューブ型過冷却器を用いた場合の配管系にも適用がある。
【産業上の利用可能性】
【００３１】
本発明は、熱交換器による冷媒との熱交換によって過冷却水を生成し、当該過冷却水の過冷却状態を、密閉配管系統で解除してシャーベット状の氷を製造する氷製造装置において有用である。
【符号の説明】
【００３２】
１    氷蓄熱槽
２    取水配管
３    予熱装置
４、８    ポンプ
５    過冷却器入口側接続部
６    過冷却器
７    冷凍機
９    過冷却器出口側接続部
１０    配管
１０ａ、１０ｂ    管
１０ｃ、１０ｄ    フランジ
１１    伝播防止装置
１２    過冷却解除装置
１３    ブライン流路
１６    接続フランジ部
３１    ガスケット
３６    水分を含まず揮発しない液体
【図１】
0005385194.tif 000002
【図２】
0005385194.tif 000003
【図３】
0005385194.tif 000004
【図４】
0005385194.tif 000005